(57)【要約】【課題】高コスト化及び大型化を招くことなく、対物レンズに対する光ディスクの２方向に関する傾き情報を含む信号を精度良く出力する。【解決手段】対物レンズ６０と一定の位置関係に保たれている第１光学素子９６は、第２光源９４から出射され対物レンズの光軸方向に直交する第１方向に向かう光束の少なくとも一部を光ディスクに向かう方向に反射する。対物レンズと一定の位置関係に保たれている第２光学素子９７は、光ディスクで反射された光束の少なくとも一部を光軸方向と第１方向とに直交する第２方向に向けて反射する。これにより、第２光学素子９７からの光束には対物レンズに対する光ディスクの第１方向及び第２方向に関する傾き情報が含まれることとなる。第２光検出器９５は第２光学素子からの光束を受光し、２方向に関する傾き情報を含む信号を出力する。【選択図】図４
2005158125.tif 000002
【特許請求の範囲】
【請求項１】
スパイラル状又は同心円状のトラックが形成された光ディスクの記録面に光を照射し、前記記録面からの反射光を受光する光ピックアップ装置であって、
光ディスクに対応した波長の光束を出射する第１光源と；
前記第１光源から出射された光束を前記光ディスクの記録面に集光する対物レンズを含み、前記記録面で反射され前記対物レンズを介した戻り光束を所定の受光位置まで導く光学系と；
前記受光位置に配置され、前記戻り光束を受光する第１光検出器と；
前記対物レンズに対する前記光ディスクの傾き情報を検出するための光束を出射する第２光源と；
前記対物レンズとの位置関係が一定に保たれ、前記第２光源から出射された光束を前記光ディスクに導くとともに、該光ディスクで反射した光束を２方向に関する前記傾き情報を含む光束に変換する変換光学手段と；
前記変換光学手段からの光束を受光する第２光検出器と；を備える光ピックアップ装置。
【請求項２】
前記変換光学手段は、
前記第２光源から出射され前記対物レンズの光軸方向に直交する第１方向に向かう光束の少なくとも一部を前記光ディスクに向かう方向に反射する第１光学素子と；
前記第１光学素子を介して前記光ディスクに照射され、前記光ディスクで反射された光束の少なくとも一部を前記光軸方向と前記第１方向とに直交する第２方向に向けて反射する第２光学素子と；を含むことを特徴とする請求項１に記載の光ピックアップ装置。
【請求項３】
前記第２光学素子は、前記第１光学素子で反射され前記光ディスクに向かう光束の光路上に配置され、前記第１光学素子で反射され前記光ディスクに向かう光束を透過させることを特徴とする請求項２に記載の光ピックアップ装置。
【請求項４】
前記変換光学手段は、前記第２光学素子と前記光ディスクとの間の光路上に配置される１／４波長板を更に含み、
前記第２光学素子は、入射する光束の偏光方向に応じてその反射率が変化する偏光性を有することを特徴とする請求項３に記載の光ピックアップ装置。
【請求項５】
前記第２光学素子は偏光ビームスプリッタであることを特徴とする請求項４に記載の光ピックアップ装置。
【請求項６】
前記第１光学素子は前記光ディスクと前記第２光学素子との間の光路上に配置され、
前記第１光学素子を介して前記光ディスクに照射され、前記光ディスクで反射された光束は、前記第１光学素子を透過して前記第２光学素子に入射することを特徴とする請求項２に記載の光ピックアップ装置。
【請求項７】
前記変換光学手段は、前記第１光学素子と前記光ディスクとの間の光路上に配置される１／４波長板を更に含み、
前記第１光学素子は、入射する光束の偏光方向に応じてその反射率が変化する偏光性を有することを特徴とする請求項６に記載の光ピックアップ装置。
【請求項８】
前記第１光学素子は偏光ビームスプリッタであることを特徴とする請求項７に記載の光ピックアップ装置。
【請求項９】
前記変換光学手段は、前記第２光源から出射され前記対物レンズの光軸方向に直交する第１方向に向かう光束の少なくとも一部を前記光ディスクに向かう方向に反射する第１反射面と、前記第１反射面を介して前記光ディスクに照射され、前記光ディスクで反射された光束の少なくとも一部を前記光軸方向と前記第１方向とに直交する第２方向に向けて反射する第２反射面とを有する偏向光学素子を含むことを特徴とする請求項１に記載の光ピックアップ装置。
【請求項１０】
前記偏向光学素子は、前記第１反射面と前記第２反射面とが互いに交差している複合プリズムであることを特徴とする請求項９に記載の光ピックアップ装置。
【請求項１１】
前記第１方向は、前記トラックの接線方向又は前記トラックの接線方向に直交する方向であることを特徴とする請求項２〜１０のいずれか一項に記載の光ピックアップ装置。
【請求項１２】
前記トラックの接線方向を軸とした回転方向及び前記トラックの接線方向に直交する方向を軸とした回転方向に前記対物レンズをそれぞれ回動する回動手段を更に備えることを特徴とする請求項１〜１１のいずれか一項に記載の光ピックアップ装置。
【請求項１３】
スパイラル状又は同心円状のトラックが形成された光ディスクの記録面に光を照射し、情報の記録、再生、及び消去のうち少なくとも再生を行なう光ディスク装置であって、
請求項１２に記載の光ピックアップ装置と；
前記光ピックアップ装置を構成する前記第２光検出器の出力信号に基づいて、前記光ピックアップ装置を構成する前記回動手段を制御する制御手段と；
前記光ピックアップ装置を構成する前記第１光検出器の出力信号を用いて、情報の記録、再生、及び消去のうち少なくとも再生を行なう処理装置と；を備える光ディスク装置。
【請求項１４】
前記制御手段は、前記第２光検出器の出力信号が、再生信号におけるジッタ値がほぼ最小となるときの既知の信号とほぼ一致するように前記回動手段を制御することを特徴とする請求項１３に記載の光ディスク装置。
【発明の詳細な説明】
【技術分野】
【０００１】
本発明は光ピックアップ装置及び光ディスク装置に係り、さらに詳しくは、光ディスクの記録面に光を照射し、該記録面からの反射光を受光する光ピックアップ装置及び該光ピックアップ装置を備えた光ディスク装置に関する。
【背景技術】
【０００２】
近年、デジタル技術の進歩、及びデータ圧縮技術の向上に伴い、音楽、映画、写真及びコンピュータソフトなどの情報（以下「コンテンツ」ともいう）を記録するための情報記録媒体としてＣＤ（compact disc）やＤＶＤ（digital versatile disc）などの光ディスクが注目されるようになり、その低価格化とともに、光ディスクに対して情報の記録及び再生などを行なう光ディスク装置が普及するようになった。
【０００３】
光ディスク装置には、スパイラル状又は同心円状のトラックが形成された光ディスクの記録面に光束を照射するとともに、記録面からの反射光を受光するための装置として光ピックアップ装置が設けられている。
【０００４】
一般的に光ピックアップ装置は、対物レンズを含み、光源から出射される光束を記録面に導くとともに、記録面で反射された戻り光束を所定の受光位置まで導く光学系、及び受光位置に配置された光検出器などを備えている。この光検出器からは、記録面に記録されているデータの再生情報だけでなく、対物レンズの位置制御に必要な情報（サーボ情報）を含む信号が出力される。
【０００５】
ところで、コンテンツの情報量は、年々増加する傾向にあり、光ディスクの記録密度の更なる増加が期待されている。そして、記録密度を高くする手段の一つとして、記録面に照射するレーザ光の短波長化が検討されている。
【０００６】
しかしながら、光ディスクの形状を変えずにレーザ光の波長を短くすると、対物レンズの光軸方向と光ディスクの記録面に垂直な軸方向とのずれ（以下便宜上、「メディアチルト」ともいう）に起因する波面収差（特にコマ収差成分）の影響が大きくなり、記録面に形成される光スポットの形状品質の劣化、光検出器から出力される信号の品質劣化を引き起こすおそれがあった。
【０００７】
約６６０ｎｍの波長のレーザ光が用いられる場合には、トラックの接線方向に直交する方向(以下「ラジアル方向」ともいう)におけるメディアチルト(以下「ラジアルチルト」ともいう)のみを考慮していたが、レーザ光の波長が更に短くなると、ラジアルチルトだけでなく、トラックの接線方向（以下「タンジェンシャル方向」ともいう）におけるメディアチルト(以下「タンジェンシャルチルト」ともいう)も考慮する必要がある。
【０００８】
そこで、２方向に関する光ディスクの傾きを個別に検出するためのセンサが種々提案された（例えば、特許文献１及び特許文献２参照）。
【０００９】
しかしながら、特許文献１に開示されている光ディスク装置では、チルト検出用の光源から出射された光束（チルト検出用光束）は、記録及び再生用の光束と同様に対物レンズを介して光ディスクに照射され、光ディスクで反射したチルト検出用光束は、対物レンズを介してハーフミラーに入射し、チルト検出用の受光素子の受光面方向に分岐されているため、チルト検出用の受光素子で受光される光束には複雑なノイズ成分が含まれ、受光素子の出力信号におけるＳ／Ｎ比が低下するおそれがあった。また、特許文献２に開示されているチルト検出装置では、チルト検出用の光源と受光素子とをそれぞれ２つ用いているため、光ディスク装置の小型化及び低コスト化に対する障害の一つとなっていた。
【００１０】
【特許文献１】特開平３−１３７８３１号公報
【特許文献２】特開平５−００６５６１号公報
【発明の開示】
【発明が解決しようとする課題】
【００１１】
本発明は、かかる事情の下になされたもので、その第１の目的は、高コスト化及び大型化を招くことなく、対物レンズに対する光ディスクの２方向に関する傾き情報を含む信号を精度良く出力することができる光ピックアップ装置を提供することにある。
【００１２】
また、本発明の第２の目的は、高コスト化及び大型化を招くことなく、高記録密度の光ディスクへのアクセスを精度良く安定して行うことができる光ディスク装置を提供することにある。
【課題を解決するための手段】
【００１３】
請求項１に記載の発明は、スパイラル状又は同心円状のトラックが形成された光ディスクの記録面に光を照射し、前記記録面からの反射光を受光する光ピックアップ装置であって、光ディスクに対応した波長の光束を出射する第１光源と；前記第１光源から出射された光束を前記光ディスクの記録面に集光する対物レンズを含み、前記記録面で反射され前記対物レンズを介した戻り光束を所定の受光位置まで導く光学系と；前記受光位置に配置され、前記戻り光束を受光する第１光検出器と；前記対物レンズに対する前記光ディスクの傾き情報を検出するための光束を出射する第２光源と；前記対物レンズとの位置関係が一定に保たれ、前記第２光源から出射された光束を前記光ディスクに導くとともに、該光ディスクで反射した光束を２方向に関する前記傾き情報を含む光束に変換する変換光学手段と；前記変換光学手段からの光束を受光する第２光検出器と；を備える光ピックアップ装置である。
【００１４】
なお、本明細書では、「傾き情報」は、傾斜角そのものだけでなく、傾斜角に変換することができる情報、及び傾斜角の変化に応じて変化する情報などを含む。
【００１５】
これによれば、第１光源から出射された光束は対物レンズを介して光ディスクの記録面に集光され、記録面で反射され対物レンズを介した戻り光束は第１光検出器で受光される。また、第２光源からは対物レンズに対する光ディスクの傾き（メディアチルト）を検出するための光束が出射される。第２光源から出射された光束は、変換光学手段により光ディスクに導かれる。光ディスクで反射した光束は、変換光学手段により２方向に関する傾き情報を含む光束に変換される。すなわち、第２光源から出射された光束は、第１光源から出射された光束とは異なる光路を経由して第２光検出器で受光される。また，変換光学手段は対物レンズとの位置関係が一定に保たれているため、例えば設計上の基準面に対して対物レンズ及び光ディスクがそれぞれ傾斜していても、変換光学手段からの光束には精度の良い２方向に関する傾き情報が含まれることとなる。そこで、第２光検出器の出力信号には、２方向に関する傾き情報が含まれることとなる。すなわち、１つの光源と１つの光検出器とで２方向に関する傾き情報の検出が可能となる。従って、結果として高コスト化及び大型化を招くことなく、対物レンズに対する光ディスクの２方向に関する傾き情報を含む信号を精度良く出力することができる。
【００１６】
この場合において、請求項２に記載の光ピックアップ装置の如く、前記変換光学手段は、前記第２光源から出射され前記対物レンズの光軸方向に直交する第１方向に向かう光束の少なくとも一部を前記光ディスクに向かう方向に反射する第１光学素子と；前記第１光学素子を介して前記光ディスクに照射され、前記光ディスクで反射された光束の少なくとも一部を前記光軸方向と前記第１方向とに直交する第２方向に向けて反射する第２光学素子と；を含むこととすることができる。
【００１７】
この場合において、請求項３に記載の光ピックアップ装置の如く、前記第２光学素子は、前記第１光学素子で反射され前記光ディスクに向かう光束の光路上に配置され、前記第１光学素子で反射され前記光ディスクに向かう光束を透過させることとすることができる。
【００１８】
この場合において、請求項４に記載の光ピックアップ装置の如く、前記変換光学手段は、前記第２光学素子と前記光ディスクとの間の光路上に配置される１／４波長板を更に含み、前記第２光学素子は、入射する光束の偏光方向に応じてその反射率が変化する偏光性を有することとすることができる。
【００１９】
この場合において、請求項５に記載の光ピックアップ装置の如く、前記第２光学素子は偏光ビームスプリッタであることとすることができる。
【００２０】
上記請求項２に記載の光ピックアップ装置において、請求項６に記載の光ピックアップ装置の如く、前記第１光学素子は前記光ディスクと前記第２光学素子との間の光路上に配置され、前記第１光学素子を介して前記光ディスクに照射され、前記光ディスクで反射した光束は、前記第１光学素子を透過して前記第２光学素子に入射することとすることができる。
【００２１】
この場合において、請求項７に記載の光ピックアップ装置の如く、前記変換光学手段は、前記第１光学素子と前記光ディスクとの間の光路上に配置される１／４波長板を更に含み、前記第１光学素子は、入射する光束の偏光方向に応じてその反射率が変化する偏光性を有することとすることができる。
【００２２】
この場合において、請求項８に記載の光ピックアップ装置の如く、前記第１光学素子は偏光ビームスプリッタであることとすることができる。
【００２３】
上記請求項１に記載の光ピックアップ装置において、請求項９に記載の光ピックアップ装置の如く、前記変換光学手段は、前記第２光源から出射され前記対物レンズの光軸方向に直交する第１方向に向かう光束の少なくとも一部を前記光ディスクに向かう方向に反射する第１反射面と、前記第１反射面を介して前記光ディスクに照射され、前記光ディスクで反射された光束の少なくとも一部を前記光軸方向と前記第１方向とに直交する第２方向に向けて反射する第２反射面とを有する偏向光学素子を含むこととすることができる。
【００２４】
この場合において、請求項１０に記載の光ピックアップ装置の如く、前記偏向光学素子は、前記第１反射面と前記第２反射面とが互いに交差している複合プリズムであることとすることができる。
【００２５】
上記請求項２〜１０に記載の各光ピックアップ装置において、請求項１１に記載の光ピックアップ装置の如く、前記第１方向は、前記トラックの接線方向又は前記トラックの接線方向に直交する方向であることとすることができる。
【００２６】
上記請求項１〜１１に記載の各光ピックアップ装置において、請求項１２に記載の光ピックアップ装置の如く、前記トラックの接線方向を軸とした回転方向及び前記トラックの接線方向に直交する方向を軸とした回転方向に前記対物レンズをそれぞれ回動する回動手段を更に備えることとすることができる。
【００２７】
請求項１３に記載の発明は、スパイラル状又は同心円状のトラックが形成された光ディスクの記録面に光を照射し、情報の記録、再生、及び消去のうち少なくとも再生を行なう光ディスク装置であって、請求項１２に記載の光ピックアップ装置と；前記光ピックアップ装置を構成する前記第２光検出器の出力信号に基づいて、前記光ピックアップ装置を構成する前記回動手段を制御する制御手段と；前記光ピックアップ装置を構成する前記第１光検出器の出力信号を用いて、情報の記録、再生、及び消去のうち少なくとも再生を行なう処理装置と；を備える光ディスク装置である。
【００２８】
これによれば、請求項１２に記載の光ピックアップ装置が用いられているため、情報の記録、再生、及び消去のうち少なくとも再生を含む光ディスクへのアクセスに先立って、制御手段により、第２光検出器の出力信号から２方向に関するメディアチルト情報を検出し、その検出結果に応じて回動手段を制御し、２方向に関するメディアチルトをそれぞれ補正することができる。従って、記録面に形成される光スポットの形状劣化が抑制され、その結果、高コスト化及び大型化を招くことなく、高記録密度の光ディスクへのアクセスを精度良く安定して行うことが可能となる。
【００２９】
この場合において、請求項１４に記載の光ディスク装置の如く、前記制御手段は、前記第１光検出器の出力信号が、再生信号におけるジッタ値がほぼ最小となるときの既知の信号とほぼ一致するように前記回動手段を制御することとすることができる。
【発明を実施するための最良の形態】
【００３０】
以下、本発明の一実施形態を図１〜図５（Ｃ）に基づいて説明する。図１には、本発明の一実施形態に係る光ディスク装置２０の概略構成が示されている。
【００３１】
この図１に示される光ディスク装置２０は、シークモータ２１、スピンドルモータ２２、光ピックアップ装置２３、レーザ制御回路２４、エンコーダ２５、モータ制御回路２６、サーボ制御回路２７、再生信号処理回路２８、チルト光源制御回路２９、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。また、本実施形態では、一例として波長が約４０５ｎｍの光束に対応し、情報の記録が可能な情報記録媒体が光ディスク１５に用いられるものとする。
【００３２】
前記シークモータ２１は、スレッジ方向に光ピックアップ装置２３を駆動するためのモータである。前記スピンドルモータ２２は、光ディスク１５を回転駆動するためのモータである。
【００３３】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３の構成等について一例として図２〜図５（Ｃ）を用いて説明する。
【００３４】
図２に示される光ピックアップ装置２３は、Ｘ軸方向に延びる２本のシークレール１０２で保持されている。これら２本のシークレール１０２の一方はシークモータ２１（図２では不図示）によって回転駆動され、その回転によって光ピックアップ装置２３を構成するハウジング７１がスレッジ方向に移動するようになっている。なお、ここでは、Ｘ軸方向がラジアル方向（トラックの接線方向に直交する方向）、トラッキング方向、及びスレッジ方向、Ｙ軸方向がタンジェンシャル方向（トラックの接線方向）、Ｚ軸方向がフォーカス方向（後述する対物レンズの光軸方向）となるように、スピンドルモータ２２及び光ピックアップ装置２３が配置されている。
【００３５】
前記ハウジング７１上には、対物レンズ６０、レンズホルダ８１、複数のコイルからなる駆動用コイル８２、２つの永久磁石９１、２つのステム８７、導電性を有する８本の線ばね９２、第２光源としてのチルト用光源９４、及び第２光検出器としてのチルト用受光器９５などが配置されている。また、ハウジング７１内には、図３に示されるように、第１光源としての信号用光源５１、コリメートレンズ５２、ビームスプリッタ５４、立ち上げミラー５６、検出レンズ５８、シリンドリカルレンズ５７及び第１光検出器としての信号用受光器５９などが配置されている。
【００３６】
前記信号用光源５１から＋Ｘ方向に出射された波長が約４０５ｎｍの光束は前記コリメートレンズ５２で略平行光とされ、前記ビームスプリッタ５４に入射する。このビームスプリッタ５４を透過した光束は、前記立ち上げミラー５６でその光路が＋Ｚ方向に曲げられ、ハウジング７１に設けられた開口部５３を介して前記対物レンズ６０に入射し、前記光ディスク１５の記録面に集光される。
【００３７】
前記光ディスク１５の記録面で反射した光束は、戻り光束として対物レンズ６０を介して前記立ち上げミラー５６に入射する。この戻り光束は立ち上げミラー５６でその光路が−Ｘ方向に曲げられ前記ビームスプリッタ５４に入射する。ビームスプリッタ５４で−Ｙ方向に分岐された戻り光束は前記検出レンズ５８で集光され、前記シリンドリカルレンズ５７で所定の非点収差が付与された後、前記信号用受光器５９で受光される。この信号用受光器５９は通常の光ディスク装置と同様に４分割受光素子であり、その受光領域毎に受光量に応じた信号（光電変換信号）をそれぞれ出力する。
【００３８】
図２に戻り、前記チルト用光源９４はハウジング７１上の所定位置に固定され、対物レンズ６０に対する光ディスク１５の傾き情報を検出するための光束（チルト検出用光束）として略平行光を＋Ｘ方向に出射する。
【００３９】
前記レンズホルダ８１の中央部にはＺ軸方向に延びる貫通孔が形成され、この貫通孔の＋Ｚ側の端部に、前記対物レンズ６０がその光軸と貫通孔の中心軸とがほぼ一致するように配置されている。このレンズホルダ８１には、前記駆動用コイル８２が所定の位置関係で一体化されている。なお、対物レンズ６０、レンズホルダ８１及び駆動用コイル８２は一体となって移動及び回動するので、以下では、便宜上これらが一体化したものを「可動部」と呼ぶこととする。
【００４０】
前記８本の線ばね９２の一端はそれぞれレンズホルダ８１に接続され、他端はそれぞれステム８７に接続されている。すなわち、可動部は線ばね９２を介してステム８７に弾性的に支持されている。
【００４１】
前記駆動用コイル８２は、可動部をＺ軸方向に駆動するためのフォーカス用コイル、可動部をＸ軸方向に駆動するためのトラッキング用コイル、可動部をＹ軸方向の回転軸周りに回動するためのラジアルチルト用コイル、及び可動部をＸ軸方向の回転軸周りに回動するためのタンジェンシャルチルト用コイルなどを含んで構成されている。すなわち、４軸駆動が可能である。
【００４２】
また、前記レンズホルダ８１の隅には、チルト検出用光束の光路となるＺ軸方向に延びる貫通孔８４が形成されている。この貫通孔８４の内部には、図４（Ａ）〜図４（Ｃ）に示されるように、２つのビームスプリッタ（９６、９７）が配置されている。すなわち、各ビームスプリッタと対物レンズ６０との位置関係は一定に保たれている。ここでは、ビームスプリッタ９６（第１光学素子）の＋Ｚ側にビームスプリッタ９７（第２光学素子）が配置されている。そして、図４（Ａ）に示されるように、ビームスプリッタ９６の−Ｘ側には、Ｘ軸方向に延びる貫通孔が形成され、ビームスプリッタ９６は、前記チルト用光源９４から＋Ｘ方向に出射されたチルト検出用光束を＋Ｚ方向に分岐する。また、図４（Ｂ）に示されるように、ビームスプリッタ９７の−Ｙ側には、Ｙ軸方向に延びる貫通孔が形成され、ビームスプリッタ９７は、光ディスク１５で反射されたチルト検出用光束（以下「チルト検出用戻り光束」ともいう）を−Ｙ方向に分岐する。このチルト検出用戻り光束は前記チルト用受光器９５に入射する。
【００４３】
このチルト用受光器９５は、ハウジング７１に固定され、一例として図５（Ａ）に示されるように、ビームスプリッタ１２１と２つの４分割受光素子（１２２、１２３）とを有している。ビームスプリッタ１２１は、前記チルト検出用戻り光束の一部を−Ｘ方向に分岐する。４分割受光素子１２２（受光領域Ｐa、Ｐb、Ｐc、Ｐd）はビームスプリッタ１２１を透過したチルト検出用戻り光束を受光し、４分割受光素子１２３（受光領域Ｐe、Ｐf、Ｐg、Ｐh）はビームスプリッタ１２１で−Ｘ方向に分岐されたチルト検出用戻り光束を受光する。なお、ビームスプリッタ１２１と４分割受光素子１２２との距離は、ビームスプリッタ１２１と４分割受光素子１２３との距離よりも長くなるように設定されている。ここでは、一例として図５（Ｂ）に示されるように、受光領域ＰaとＰcは互いにラジアル方向に対応する方向に隣接し、受光領域ＰbとＰdは互いにラジアル方向に対応する方向に隣接している。受光領域ＰaとＰbは互いにタンジェンシャル方向に対応する方向に隣接し、受光領域ＰcとＰdは互いにタンジェンシャル方向に対応する方向に隣接している。また、一例として図５（Ｃ）に示されるように、受光領域ＰeとＰgは互いにラジアル方向に対応する方向に隣接し、受光領域ＰfとＰhは互いにラジアル方向に対応する方向に隣接している。受光領域ＰeとＰfは互いにタンジェンシャル方向に対応する方向に隣接し、受光領域ＰgとＰhは互いにタンジェンシャル方向に対応する方向に隣接している。なお、図５（Ｂ）及び図５（Ｃ）には、それぞれ便宜上、対応するトラックを点線で示している。
【００４４】
ここで、前記傾き情報の検出原理について説明する。可動部がその基準姿勢に対してラジアル方向にθR、タンジェンシャル方向にθTだけ傾斜していると、光ディスク１５に照射されるチルト検出用光束は、可動部が基準姿勢にあるときに比べて、ラジアル方向に２θR、タンジェンシャル方向に２θTだけ傾斜する。さらに、光ディスク１５がその基準姿勢に対してラジアル方向にφR、タンジェンシャル方向にφTだけ傾斜していると、光ディスク１５で反射されたチルト検出用光束は、光ディスク１５が基準姿勢にあるときに比べて、ラジアル方向に−２φR、タンジェンシャル方向に−２φTだけ傾斜する。この場合に、チルト用受光器９５で受光されるチルト検出用戻り光束の入射角は、ラジアル方向に２×（θR−φR）、タンジェンシャル方向に２×（θT−φT）だけ傾斜する。例えば、可動部と光ディスク１５とが互いに平行、すなわち可動部の傾斜角（θR，θT）と光ディスク１５の傾斜角（φR，φT）とが互いに等しい場合には、チルト用受光器９５に入射するチルト検出用戻り光束のラジアル方向及びタンジェンシャル方向の傾斜角はそれぞれ０になる。そこで、チルト検出用戻り光束のラジアル方向及びタンジェンシャル方向の傾斜角をそれぞれ検出することで、可動部（対物レンズ）に対する光ディスク１５の２方向（ラジアル方向とタンジェンシャル方向）の傾き情報を検出することが可能になる。
【００４５】
図１に戻り、前記再生信号処理回路２８は、Ｉ／Ｖアンプ２８ａ、サーボ信号検出回路２８ｂ、ウォブル信号検出回路２８ｃ、ＲＦ信号検出回路２８ｄ、デコーダ２８ｅ、及びチルト検出回路２８ｆなどから構成されている。
【００４６】
前記Ｉ／Ｖアンプ２８ａは、信号用受光器５９及びチルト用受光器９５の各出力信号を電圧信号に変換するとともに、所定のゲインで増幅する。ここで変換・増幅された信号用受光器５９の出力信号は前記サーボ信号検出回路２８ｂ、ウォブル信号検出回路２８ｃ、及びＲＦ信号検出回路２８ｄに出力される。一方、変換・増幅されたチルト用受光器９５の出力信号は前記チルト検出回路２８ｆに出力される。
【００４７】
前記サーボ信号検出回路２８ｂは、Ｉ／Ｖアンプ２８ａの出力信号に基づいてフォーカスエラー信号及びトラックエラー信号などのサーボ信号を検出する。ここでは、フォーカスエラー信号はいわゆる非点収差法を用いて検出され、トラックエラー信号はいわゆるプッシュプル法又は位相差法を用いて検出される。ここで検出されたサーボ信号はサーボ制御回路２７に出力される。
【００４８】
前記ウォブル信号検出回路２８ｃは、Ｉ／Ｖアンプ２８ａの出力信号に基づいてウォブル信号を検出する。前記ＲＦ信号検出回路２８ｄは、Ｉ／Ｖアンプ２８ａの出力信号に基づいてＲＦ信号を検出する。前記デコーダ２８ｅはウォブル信号からアドレス情報及び同期信号などを抽出する。ここで抽出されたアドレス情報はＣＰＵ４０に出力され、同期信号はエンコーダ２５などに出力される。また、デコーダ２８ｅはＲＦ信号に対して復号処理及び誤り検出処理等を行い、誤りが検出されたときには誤り訂正処理を行った後、再生データとしてバッファマネージャ３７を介してバッファＲＡＭ３４に格納する。
【００４９】
前記チルト検出回路２８ｆは、次の（１）式に基づいてラジアル方向に関する傾き情報（以下「ラジアルチルト情報」ともいう）ΨRを取得する。なお、ａ、・・・、ｈは、それぞれ受光領域Ｐa、・・・、Ｐhの出力信号に対応するＩ／Ｖアンプ２８ａの出力信号である。また、チルト検出回路２８ｆは、次の（２）式に基づいてタンジェンシャル方向に関する傾き情報（以下「タンジェンシャルチルト情報」ともいう）ΨTを取得する。ここでは、２つの受光器の出力信号の差を用いているため、光軸ずれの影響を受けることなく傾き情報を取得することができる。ここで検出された各情報はサーボ制御回路２７に出力される。
ΨR={(a+b)-(c+d)}/(a+b+c+d)-{(e+f)-(g+h)}/(e+f+g+h)  ……（１）
ΨT={(a+c)-(b+d)}/(a+b+c+d)-{(e+g)-(f+h)}/(e+f+g+h)  ……（２）
【００５０】
前記サーボ制御回路２７は、図１に示されるように、ＦＣコントローラ２７ａ、ＴＲコントローラ２７ｂ、ＲＴコントローラ２７ｃ、ＴＴコントローラ２７ｄ、及びＡＣＴドライバ２７ｅなどを有している。前記ＦＣコントローラ２７ａは前記フォーカスエラー信号に基づいてフォーカスずれを補正するためのフォーカス制御信号を生成し、前記ＴＲコントローラ２７ｂは前記トラックエラー信号に基づいてトラックずれを補正するためのトラッキング制御信号を生成する。前記ＲＴコントローラ２７ｃは前記ラジアルチルト情報に基づいてラジアルチルトを補正するためのラジアルチルト制御信号を生成し、ＴＴコントローラ２７ｄは前記タンジェンシャルチルト情報に基づいてタンジェンシャルチルトを補正するためのタンジェンシャルチルト制御信号を生成する。ここで生成された各制御信号は、それぞれＡＣＴドライバ２７ｅに出力される。
【００５１】
前記ＡＣＴドライバ２７ｅは、前記フォーカス制御信号に応じて前記フォーカス用コイルの駆動電流を光ピックアップ装置２３に出力し、前記トラッキング制御信号に応じて前記トラッキング用コイルの駆動電流を光ピックアップ装置２３に出力する。これにより、トラッキング制御及びフォーカス制御が行われる。
【００５２】
また、ＡＣＴドライバ２７ｅは、前記ラジアルチルト制御信号に応じて前記ラジアルチルト用コイルの駆動電流を光ピックアップ装置２３に出力し、前記タンジェンシャルチルト制御信号に応じて前記タンジェンシャルチルト用コイルの駆動電流を光ピックアップ装置２３に出力する。これにより、ラジアルチルト制御及びタンジェンシャルチルト制御が行われる。
【００５３】
なお、トラッキング制御、フォーカス制御、ラジアルチルト制御及びタンジェンシャルチルト制御はそれぞれ、光ディスク１５へのアクセスに先立って行なわれるとともに、アクセス中においても所定のタイミングで行われる。
【００５４】
前記モータ制御回路２６は、ＣＰＵ４０の指示に基づいてスピンドルモータ２２及びシークモータ２１をそれぞれ駆動制御する。
【００５５】
前記チルト光源制御回路２９は、ＣＰＵ４０の指示に基づいて前記チルト用光源９４を制御する。
【００５６】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００５７】
前記エンコーダ２５は、ＣＰＵ４０の指示に基づいてバッファＲＡＭ３４に蓄積されている記録用データをバッファマネージャ３７を介して取り出し、データの変調及びエラー訂正コードの付加等を行ない、光ディスク１５への書き込み信号を生成する。ここで生成された書き込み信号はレーザ制御回路２４に出力される。
【００５８】
前記レーザ制御回路２４は、信号用光源５１から出射される光束のパワーを制御する。例えば記録の際には、前記書き込み信号、記録条件、及び信号用光源５１の発光特性などに基づいて信号用光源５１の駆動信号が生成される。
【００５９】
前記インターフェース３８は、ホスト（例えば、パーソナルコンピュータ）との双方向の通信インターフェースであり、ＡＴＡＰＩ（AT Attachment Packet Interface）及びＳＣＳＩ（Small Computer System Interface）などの標準インターフェースに準拠している。
【００６０】
前記フラッシュメモリ３９には、ＣＰＵ４０にて解読可能なコードで記述されたプログラム、記録条件、及び信号用光源５１の発光特性などが格納されている。
【００６１】
前記ＣＰＵ４０は、フラッシュメモリ３９に格納されているプログラムに従って上記各部の動作を制御するとともに、制御に必要なデータなどをＲＡＭ４１に保存する。
【００６２】
以上の説明から明らかなように、本実施形態に係る光ピックアップ装置２３では、ビームスプリッタ９６（第１光学素子）とビームスプリッタ９７（第２光学素子）とによって、変換光学手段が実現されている。
【００６３】
また、本実施形態に係る光ディスク装置２０では、ＣＰＵ４０及び該ＣＰＵ４０によって実行されるプログラムとによって、処理装置が実現されている。しかしながら、本発明がこれに限定されるものではないことは勿論である。すなわち、上記実施形態は一例に過ぎず、上記のＣＰＵ４０によるプログラムに従う処理によって実現した処理装置の少なくとも一部をハードウェアによって構成することとしても良いし、あるいは全てをハードウェアによって構成することとしても良い。
【００６４】
また、チルト検出回路２８ｆと、ＲＴコントローラ２７ｃと、ＴＴコントローラ２７ｄと、ＡＣＴドライバ２７ｅとによって、制御手段が実現されている。
【００６５】
また、本実施形態に係る光ピックアップ装置２３では、永久磁石９１と、駆動用コイル８２を構成するラジアルチルト用コイル及びタンジェンシャルチルト用コイルとによって、回動手段が実現されている。
【００６６】
以上説明したように、本実施形態に係る光ピックアップ装置２３によると、ハウジング７１に固定されたチルト用光源９４（第２光源）からラジアル方向（第1方向）に出射されたチルト検出用光束の少なくとも一部は、可動部に固定されているビームスプリッタ９６（第１光学素子）で光ディスク１５に向かう方向に反射され、光ディスク１５で反射したチルト検出用光束（チルト検出用戻り光束）の少なくとも一部は、可動部に固定されているビームスプリッタ９７（第２光学素子）でタンジェンシャル方向（第２方向）に向けて反射され、チルト用受光器９５（第２光検出器）で受光される。この場合に、設計上の基準面に対してラジアル方向に関して可動部がθR、光ディスク１５がφRだけ傾斜し、タンジェンシャル方向に関して可動部がθT、光ディスク１５がφTだけ傾斜していると、チルト用受光器９５に入射するチルト検出用戻り光束の入射角は、可動部及び光ディスク１５がそれぞれ設計上の基準面に平行であるときに比べて、ラジアル方向に対応する方向に２×（θR−φR）、タンジェンシャル方向に対応する方向に２×（θT−φT）だけ傾斜することとなる。チルト用受光器９５からは、受光光束の入射角に関する情報を含む信号が出力されるため、チルト用受光器９５の出力信号には、２方向に関するメディアチルト情報が含まれることとなる。すなわち、１つの光源と１つの光検出器とで２方向に関するメディアチルト情報の検出が可能となる。従って、結果として高コスト化及び大型化を招くことなく、対物レンズに対する光ディスクの２方向に関する傾き情報を含む信号を精度良く出力することができる。
【００６７】
また、本実施形態に係る光ディスク装置２０によると、光ディスク１５に対する情報の記録、再生、及び消去のうち少なくとも再生を含むアクセスに先だって、及びアクセス中に、ラジアルチルト及びタンジェンシャルチルトを精度良く補正することができるため、記録面に形成される光スポットにおけるメディアチルトに起因する波面収差が小さくなり、形状品質に優れた光スポットを記録面の所定位置に形成することが可能となる。従って、結果として、高コスト化及び大型化を招くことなく、高記録密度の光ディスクへのアクセスを精度良く安定して行うことが可能となる。
【００６８】
また、メディアチルトがほぼリアルタイムで補正されるため、記録速度が高速化しても記録品質の低下を抑制することができる。
【００６９】
また、いわゆるノート型パソコン等の持ち運び可能な情報機器に内蔵され、振動や温度変化などによりメディアチルトが生じ易い環境下で使用されても、安定した記録及び再生が可能となる。
【００７０】
なお、上記実施形態では、チルト用受光器９５において、チルト検出用戻り光束を２つの４分割受光素子（１２２、１２３）で受光する場合について説明したが、これに限らず、例えば図６（Ａ）に示されるように、１つの４分割受光素子１２２のみで受光しても良い。但し、この場合にはチルト検出用戻り光束を絞るためのアパーチャー１２４が４分割受光素子１２２の＋Ｙ側に配置される。このアパーチャー１２４は、４分割受光素子１２２の受光面におけるチルト検出用戻り光束の強度分布がほぼ一様となるようにその開口部の径が設定されている。そして、次の（３）式に基づいてラジアルチルト情報ΨRが取得され、次の（４）式に基づいてタンジェンシャルチルト情報ΨTが取得される。
ΨR={(a+b)-(c+d)}/(a+b+c+d)  ……（３）
ΨT={(a+c)-(b+d)}/(a+b+c+d)  ……（４）
【００７１】
また、一例として図６（Ｂ）に示されるように、チルト検出用戻り光束を集光する焦点距離ｆの集光レンズ１２５と、その集光位置に配置される２次元位置検出素子（Position Sensitive Device、通称ＰＳＤ）１２６とを用いて、前記チルト用受光器９５を構成しても良い。例えばチルト検出用戻り光束が光軸方向に対して角度θAだけ傾斜して集光レンズ１２５に入射すると、２次元位置検出素子１２６での受光位置と基準位置との距離ＬはｆsinθAで表されるため、距離Ｌのラジアル方向に対応する軸方向（以下、便宜上「ラジアル対応方向」ともいう）成分及びタンジェンシャル方向に対応する軸方向（以下、便宜上「タンジェンシャル対応方向」ともいう）成分に基づいてラジアルチルト情報ΨRと、タンジェンシャルチルト情報ΨTとを個別に取得することができる。なお、２次元位置検出素子１２６に代えて４分割受光素子を用いても良い。この場合には、各受光領域における受光量の違いから、前記受光位置に対応する情報を得ることができる。
【００７２】
さらに、一例として図６（Ｃ）に示されるように、チルト検出用戻り光束の入射角によってその回折効率が異なるホログラム１２７と、該ホログラム１２７からの回折光を受光する４つの受光素子（ＰＤ１、ＰＤ２、ＰＤ３、ＰＤ４）とを用いて、前記チルト用受光器９５を構成しても良い。ホログラム１２７にはラジアル対応方向ＤirＲに直交する格子方向の回折格子と、タンジェンシャル対応方向ＤirＴに直交する格子方向の回折格子とが形成されており、チルト検出用戻り光束をラジアル対応方向ＤirＲ及びタンジェンシャル対応方向ＤirＴに回折する。本明細書においては「回折方向」とは、回折光をホログラム１２７の格子面上に写像した際の回折光の方向を意味している。そして、ラジアル対応方向ＤirＲに回折された＋１次回折光は受光素子ＰＤ１で受光され、−１次回折光は受光素子ＰＤ２で受光されるように設定されている。また、タンジェンシャル対応方向ＤirＴに回折された＋１次回折光は受光素子ＰＤ３で受光され、−１次回折光は受光素子ＰＤ４で受光されるように設定されている。
【００７３】
この場合に、前記チルト検出回路２８ｆは、図６（Ｄ）に示されるように、２つの減算器（Ｒ１、Ｒ３）、２つの加算器（Ｒ２、Ｒ４）、及び２つの除算器（Ｒ５、Ｒ６）を有することとなる。減算器Ｒ１は、前記Ｉ／Ｖアンプ２８ａの出力信号Ｓ１からＳ２を減算した信号を生成する。ここで、信号Ｓ１は受光素子ＰＤ１の出力信号に対応するＩ／Ｖアンプ２８ａの出力信号であり、信号Ｓ２は受光素子ＰＤ２の出力信号に対応するＩ／Ｖアンプ２８ａの出力信号である。加算器Ｒ２は、Ｉ／Ｖアンプ２８ａの出力信号Ｓ１とＳ２とを加算した信号を生成する。減算器Ｒ３は、前記Ｉ／Ｖアンプ２８ａの出力信号Ｓ３からＳ４を減算した信号を生成する。ここで、信号Ｓ３は受光素子ＰＤ３の出力信号に対応するＩ／Ｖアンプ２８ａの出力信号であり、信号Ｓ４は受光素子ＰＤ４の出力信号に対応するＩ／Ｖアンプ２８ａの出力信号である。加算器Ｒ４は、Ｉ／Ｖアンプ２８ａの出力信号Ｓ３とＳ４とを加算した信号を生成する。除算器Ｒ５は、減算器Ｒ１の出力信号を加算器Ｒ２の出力信号で除算した信号を生成する。ここで生成された信号はラジアルチルト情報ΨRを含んでいる。除算器Ｒ６は、減算器Ｒ３の出力信号を加算器Ｒ４の出力信号で除算した信号を生成する。ここで生成された信号はタンジェンシャルチルト情報ΨTを含んでいる。
【００７４】
また、上記実施形態では、ビームスプリッタ１２１と４分割受光素子１２２との距離が、ビームスプリッタ１２１と４分割受光素子１２３との距離よりも長くなるように設定しているが、逆に、ビームスプリッタ１２１と４分割受光素子１２３との距離がビームスプリッタ１２１と４分割受光素子１２２との距離よりも長くなるように設定しても良い。要するに、それぞれの距離が互いに異なっていれば良い。
【００７５】
また、上記実施形態では、変換光学手段としてビームスプリッタ９６とビームスプリッタ９７とを用いる場合について説明したが、本発明がこれに限定されるものではない。例えば、前記ビームスプリッタ９６に代えて反射ミラーを用いても良い。
【００７６】
また、図７に示されるように、前記ビームスプリッタ９７に代えて、入射する光束の偏光方向に応じてその反射率が変化する偏光性を有する偏光ビームスプリッタ９７’を用い、１／４波長板５５を偏光ビームスプリッタ９７’と光ディスク１５との間の光路上に配置しても良い。この偏光ビームスプリッタ９７’は、チルト用光源９４から出射されたチルト検出用光束に対しては回折効率が低く、チルト検出用戻り光束に対しては回折効率が高くなるように設定されている。これにより、チルト用受光器９５の出力信号におけるＳ／Ｎ比が向上し、傾き情報の検出感度を上げることが可能となる。
【００７７】
また、上記実施形態では、ビームスプリッタ９６の＋Ｚ側にビームスプリッタ９７を配置する場合について説明したが、これに限定されるものではなく、図８に示されるように、ビームスプリッタ９６の−Ｚ側にビームスプリッタ９７を配置しても良い。この場合に、前記ビームスプリッタ９７に代えて反射ミラーを用いても良い。また、この場合に、図９に示されるように、前記ビームスプリッタ９６に代えて、入射する光束の偏光方向に応じてその反射率が変化する偏光性を有する偏光ビームスプリッタ９６’を用い、１／４波長板５５を偏光ビームスプリッタ９６’と光ディスク１５との間の光路上に配置しても良い。この偏光ビームスプリッタ９６’は、チルト用光源９４から出射されたチルト検出用光束に対しては回折効率が高く、チルト検出用戻り光束に対しては回折効率が低くなるように設定されている。これにより、チルト用受光器９５の出力信号におけるＳ／Ｎ比が向上し、傾き情報の検出感度を上げることが可能となる。
【００７８】
また、上記実施形態では、傾き情報の検出用に２つのビームスプリッタを用いる場合について説明したが、これに限らず、例えば図１０に示されるように、前記ビームスプリッタ９６及び前記ビームスプリッタ９７に代えて、チルト用光源９４からラジアル方向に出射されたチルト検出用光束の少なくとも一部を光ディスク１５に向かう方向に反射する反射面ＰＬ１（第１反射面）と、反射面ＰＬ１を介して光ディスクに照射され、光ディスクで反射した光束の少なくとも一部をタンジェンシャル方向に向けて反射する反射面ＰＬ２（第２反射面）とを有し、各反射面が互いに交差している複合プリズム９８を用い、１／４波長板５５を複合プリズム９８と光ディスク１５との間の光路上に配置しても良い。各反射面はそれぞれ偏光性を有し、反射面ＰＬ１はチルト用光源９４から出射されたチルト検出用光束に対しては反射率が高く、チルト検出用戻り光束に対しては透過率が高くなるように設定され、反射面ＰＬ２はチルト用光源９４から出射されたチルト検出用光束に対しては透過率が高く、チルト検出用戻り光束に対しては反射率が高くなるように設定されている。これにより、Ｚ軸方向に関して、チルト用光源９４及びチルト用受光器９５を同じ位置に配置することが可能となり、組み付け作業及び調整作業を簡略化することができる。
【００７９】
また、上記実施形態では、ラジアルチルト制御及びタンジェンシャルチルト制御において、対物レンズ６０と光ディスク１５とが互いにほぼ平行となるように可動部の姿勢を制御しているが、光ピックアップ装置２３内での光軸ずれや光軸の傾きなどに起因して、対物レンズ６０と光ディスク１５とが互いにほぼ平行であっても、最適な光スポットが記録面に形成されない場合がある。このような場合には、予め再生信号のジッタがほぼ最小となるときの対物レンズ６０と光ディスク１５との相対的なラジアル方向の傾き及びタンジェンシャル方向の傾きをそれぞれ補正情報として求めておき、前記チルト検出回路２８ｆは、その補正情報に基づいてチルト用受光器９５の出力信号から得られた各チルト情報を補正しても良い。
【００８０】
また、上記実施形態では、各ビームスプリッタがレンズホルダ８１に形成された開口部８４内に配置される場合について説明したが、これに限定されるものではない。要するに、各ビームスプリッタと対物レンズ６０との位置関係が一定に保たれていれば良い。
【００８１】
また、上記実施形態では、チルト用光源９４からラジアル方向にチルト検出用光束が出射される場合について説明したが、これに限定されるものではない。結果としてチルト検出用光束がラジアル方向からビームスプリッタ９６に入射すれば良い。
【００８２】
また、上記実施形態では、チルト検出用光束がラジアル方向からビームスプリッタ９６に入射する場合について説明したが、チルト検出用光束がタンジェンシャル方向からビームスプリッタ９６に入射するように配置しても良い。この場合には、ビームスプリッタ９７はチルト検出用戻り光束をラジアル方向に向けて反射するように配置される。すなわち、例えば図４（Ａ）〜図４（Ｃ）に示される位置関係が対物レンズ６０の光軸を回転軸として９０度回転された位置関係となる。
【００８３】
また、チルト用光源９４とビームスプリッタ９６との距離、及びビームスプリッタ９７とチルト用受光器９５との距離はできるだけ短くなるように配置することが好ましい。これにより、装置の小型化を更に促進することができる。
【００８４】
また、上記実施形態では、ビームスプリッタ９６とビームスプリッタ９７を個別に配置する場合について説明したが、これに限らず、ビームスプリッタ９６とビームスプリッタ９７とを一体化して配置しても良い。これにより、組み付け作業及び調整作業を簡略化することができる。
【００８５】
また、上記実施形態では、可動部を回動させてラジアルチルト及びタンジェンシャルチルトを補正する場合について説明したが、これに限らず、例えば対物レンズ６０に入射する光束に光学的位相差を付与して、ラジアルチルト及びタンジェンシャルチルトの少なくとも一方に起因する波面収差を補正しても良い。
【００８６】
また、上記実施形態では、ラジアル方向とタンジェンシャル方向に関する傾き情報を検出する場合について説明したが、本発明がこれに限定されるものではない。
【００８７】
また、上記実施形態では、２方向が互いに直交する場合について説明したが、本発明がこれに限定されるものではない。
【００８８】
また、上記実施形態では、情報の記録及び再生が可能な光ディスク装置について説明したが、これに限らず、情報の記録、再生、及び消去のうち少なくとも再生が可能な光ディスク装置であれば良い。
【００８９】
また、上記実施形態では、光ディスク１５が約４０５ｎｍの波長のレーザ光に対応する情報記録媒体である場合について説明したが、これに限定されるものではなく、２方向のメディアチルトを補正する必要がある情報記録媒体であれば良い。
【００９０】
また、上記実施形態では、光ピックアップ装置が１つの信号用光源を備える場合について説明したが、これに限らず、例えば互いに異なる波長の光束を発光する複数の信号用光源を備えていても良い。この場合に、例えば波長が約４０５ｎｍの光束を発光する信号用光源、波長が約６６０ｎｍの光束を発光する信号用光源の少なくとも１つを含んでいても良い。すなわち、光ディスク装置が互いに異なる規格に準拠した複数種類の光ディスクに対応する光ディスク装置であっても良い。
【００９１】
なお、光ディスク装置の製造工程及び調整工程の少なくとも一方で、上記実施形態と同様にして傾き情報を検出し、その検出結果に基づいて各種部品の組み付け精度を検査することができる。これにより、早めの位置調整及び部品交換が可能となり、製品の歩留りを向上させることができる。
【図面の簡単な説明】
【００９２】
【図１】本発明の一実施形態に係る光ディスク装置の構成を示すブロック図である。
【図２】図１における光ピックアップ装置の構成を説明するための図である。
【図３】図２の光ピックアップ装置を構成するハウジング内に配置されている主要光学部品を説明するための図である。
【図４】図４（Ａ）〜図４（Ｃ）はそれぞれ、チルト用光源、チルト用受光器、及び各ビームスプリッタの配置を説明するための図である。
【図５】図５（Ａ）〜図５（Ｃ）はそれぞれ、チルト用受光器を説明するための図である。
【図６】図６（Ａ）〜図６（Ｄ）はそれぞれ、チルト用受光器の変形例を説明するための図である。
【図７】偏光ビームスプリッタが用いられる場合（その１）を説明するための図である。
【図８】図４（Ｃ）の配置の変形例を説明するための図である。
【図９】偏光ビームスプリッタが用いられる場合（その２）を説明するための図である。
【図１０】複合プリズムが用いられる場合を説明するための図である。
【符号の説明】
【００９３】
１５…光ディスク、２０…光ディスク装置、２３…光ピックアップ装置、２７ｃ…ＲＴコントローラ（制御手段の一部）、２７ｄ…ＴＴコントローラ（制御手段の一部）、２７ｅ…ＡＣＴドライバ（制御手段の一部）、２８ｆ…チルト検出回路（制御手段の一部）、４０…ＣＰＵ（処理装置）、５１…信号用光源（第１光源）、５５…１／４波長板、５９…信号光用受光器（第１光検出器）、６０…対物レンズ、９４…チルト用光源（第２光源）、９５…チルト用受光器（第２光検出器）、９６…ビームスプリッタ（第１光学素子）、９７…ビームスプリッタ（第２光学素子）、９８…複合プリズム。
【図１】
2005158125.tif 000003
【図２】
2005158125.tif 000004
【図３】
2005158125.tif 000005
【図４】
2005158125.tif 000006
【図５】
2005158125.tif 000007
【図６】
2005158125.tif 000008
【図７】
2005158125.tif 000009
【図８】
2005158125.tif 000010
【図９】
2005158125.tif 000011
【図１０】
2005158125.tif 000012